(57)【要約】【課題】  メガネ本体と複数のノーズパッドを組み合わせることで、自己に最適なノーズパッドを選択して装着することができるＰＣメガネキットを提供する。【解決手段】  眼を保護するためのレンズ１４と、このレンズ１４を装着した２つのフレーム１２と、前記フレーム同士を連結し、ノーズパッド２の装着部１６を構成したブリッジ１３とからなるメガネ本体１と、前記装着部１６に着脱自在に装着可能な複数のノーズパッド２とからなるＰＣメガネキット。【選択図】図２
2014095855.tif 000002
【特許請求の範囲】
【請求項１】
レンズを装着可能な一対のフレームを備え、前記フレーム同士を連結するブリッジにノーズパッドの装着部を構成したメガネ本体と、前記装着部に着脱自在に装着可能な複数のノーズパッドとからなるメガネキット。
【請求項２】
ブルーライトや紫外線をカットするレンズを装着した一対のフレームを備え、前記フレーム同士を連結するブリッジにノーズパッドの装着部を構成したメガネ本体と、前記装着部に着脱自在に装着可能な複数のノーズパッドとからなるメガネキット。
【請求項３】
前記装着部を２個の突起によって構成し、前記ノーズパッドを、前記装着部と嵌合する２個の孔を穿設した連結部と、この連結部の両端に構成した一対のパッド部によって構成したことを特徴とする請求項１又は２記載のメガネキット。
【発明の詳細な説明】
【技術分野】
【０００１】
本発明はＰＣメガネ等の各種メガネと、それに着脱自在に装着できる複数のノーズパッドからなるメガネキットに関するものである。
【背景技術】
【０００２】
従来より、メガネを装着するときにメガネと鼻の位置や距離を考慮してノーズパッドの位置を調整していた。その方法としては、メガネの購入時にノーズパッドの位置をネジで調整するものが知られている。
またノーズパッドを安定させるために、特許文献１に示す考案が提案されていた。
【０００３】
一方、最近では、ＰＣ（パソコン）や携帯電話のディスプレイから発せられるブルーライトや紫外線等から眼を保護するためにＰＣメガネが使用されているが、コンピューターやゲームに使うモニターの画像を見るときに生じる目の疲れる等を防ぐために、特許文献２に示すようなモニター用メガネが提案されていた。
【先行技術文献】
【特許文献】
【０００４】
【特許文献１】実用新案登録第３０６８５５８号公報
【０００５】
【特許文献２】特開平９−４３５５１号公報
【０００６】
前記特許文献１記載のめがねのパッドは、リム（１）の内側に設けられているカバー（３１）と、前記カバー（３１）の中に設けられている永久磁石（３２）とを備え、前記永久磁石（３２）はそれぞれ異なる極性を有し、鼻の両側の上に前記永久磁石（３２）が相互に引き付け合っているため両パッドは安定し下方のずれが防止されるというものである。
【０００７】
前記特許文献１記載の考案では、顔を動かしたりすることでメガネの位置がずれた時に、永久磁石の磁力の効果が弱まりメガネが下がってしまう恐れがある。またパッドは交換できないから、例えば付けまつ毛をしたときには、付けまつ毛がめがねに当たり使いにくくなるという問題点があった。
【０００８】
特許文献２記載のモニター用メガネは、メガネのレンズ（１）の部分の材質が透明性のある導電性ポリマーなどからなり、金属・酸化金属等の微粒子等によって表面や裏面に着色する部分（２）を設けることで、サングラス的効果を持たせて眼を保護するものである。このモニター用メガネは、レンズ（１）部分についての発明であり、フレームあるいはノーズパッドについての改良は提案されていないのである。
【発明の概要】
【発明が解決しようとする課題】
【０００９】
本発明は上記のような従来例の問題点を解決するために、メガネ本体と複数のノーズパッドを組み合わせることで、自己に最適なノーズパッドを選択して装着することでメガネを快適に使用することができるメガネキットを提供することを目的とする。
【課題を解決するための手段】
【００１０】
請求項１に記載の発明は、レンズを装着可能な一対のフレームを備え、前記フレーム同士を連結するブリッジにノーズパッドの装着部を構成したメガネ本体と、前記装着部に着脱自在に装着可能な複数のノーズパッドとからなるメガネキットである。
【００１１】
請求項２に記載の発明は、ブルーライトや紫外線をカットするレンズを装着した一対のフレームを備え、前記フレーム同士を連結するブリッジにノーズパッドの装着部を構成したメガネ本体と、前記装着部に着脱自在に装着可能な複数のノーズパッドとからなるメガネキットである。
【００１２】
請求項３に記載の発明は、前記装着部を２個の突起によって構成し、前記ノーズパッドを、前記装着部と嵌合する２個の孔を穿設した連結部と、この連結部の両端に構成した一対のパッド部によって構成したことを特徴とする請求項１又は２記載のメガネキットである。
【発明の効果】
【００１３】
請求項１記載のメガネキットは、レンズを装着していないフレームとノーズパッドの組み合わせであり、レンズを自己に合ったものを選択し、かつ自分の鼻の形等にあわせて最適なノーズパッドを選択できるため、常に快適なメガネの使用ができるのである。
【００１４】
請求項２記載のメガネキットによれば、ＰＣ等のディスプレイから発するブルーライトや紫外線がレンズによってカットされると共に、装着部に装着するノーズパッドを自己に最適なもの選択できるからメガネ本体は常に自分の顔にフィットするのである。
そのため、ＰＣを使用するときなどに装着すれば、眼が保護され眼の疲れが軽減し、快適な状態で作業が行える。
また、ノーズパッドはメガネ本体の装着部に着脱自在に装着できるから、自分自身が必要に応じ交換することもでき、あるいは複数人がノーズパッドを交換してメガネ本体を使用することもできる。
【００１５】
請求項３記載のメガネキットによれば、前記装着部を２個の突起によって構成し、前記ノーズパッドを、前記装着部と嵌合する２個の孔を穿設した連結部と、この連結部の両端に構成した一対のパッド部によって構成したから、簡易な構成でありながらノーズパッドの装着と取り外しが容易に行え、かつ安定したメガネの装着が可能となる。
【図面の簡単な説明】
【００１６】
【図１】本発明の一実施形態のメガネ本体にレンズとノーズパッドを装着していない状態の斜視図
【図２】本発明の一実施形態のメガネ本体にレンズとノーズパットを装着した状態の斜視図
【図３】ノーズパッドの実施例１の斜視図
【図４】ノーズパッドの実施例１の説明図
【図５】ノーズパッドの実施例２の斜視図
【図６】ノーズパッドの実施例２の説明図
【図７】ノーズパッドの実施例３の斜視図
【図８】ノーズパッドの実施例３の説明図
【発明を実施するための形態】
【００１７】
図１、図２に基づいて本発明の一実施形態を説明する。
図２において、メガネ本体１は、２個のフレーム１２の両端に２本のテンプル１１を取り付けたものである。この２個のフレーム１２にレンズ１４を装着してある。
前記レンズ１４は、本実施形態ではブルーライトをカットする機能を有するレンズでありブルーライトと紫外線をカットするもので、度は付いていないものを使用している。
【００１８】
フレーム１２，１２を連結するブリッジ１３の後方（テンプル側）には、２個の突起からなる装着部１６が構成されている。この装着部１６は、ノーズパッド２（３、４）を取り付けるためのものである。
【００１９】
上記のように構成した実施形態の使用に際しては、選択した自己に適したノーズパッド２（３、４）を装着して通常のメガネと同様に使用すればよい。
このように使用することで、レンズ１４，１４によってＰＣのディスプレイから発せられるブルーライトや紫外線がカットされ、眼のまぶしさやチラつきを通常のＵＶレンズのメガネより約４０％低減させることができるため、ＰＣを使用した長時間の作業も健康で快適に行うことができる。
【００２０】
本実施形態によれば、ノーズパッドを自分の鼻の形等に合ったものを選択して装着できるため、あらかじめノーズパッドの調整を行う必要がなくなる。
さらにノーズパッドは後述のように３種類構成し、レンズには視力矯正用の度が入っていないため、メガネ本体を複数の人間で共有してそれぞれ自分に合ったノーズパッドを装着して使用することができる。
【００２１】
また、メガネ店において対面販売でノーズパッドを調整しなくても、需要者は３種類のノーズパットから自分に合ったものを選べることができるから、通信販売による販売方法で販売することもできる。
【００２２】
本実施形態では、レンズは度が付いていないカラーレンズを使用しているが、必要に応じて度付きのレンズも使用できレンズが無色であるものも使える。ノーズパッドの種類も３種類に限らず任意に決められる。
【００２３】
次に図３乃至図８に基づいて、ノーズパッドの各実施例について説明する。ノーズパッド２、３、４は合成樹脂製であり、左右一対のパッド部を中央の連結部の両端に対称に連結し、メガネ本体１に対して着脱自在に装着可能としたものである。
【００２４】
図３、図４はノーズパッドの実施例１の標準タイプを示すもので、パッド部の間隔が標準的なもので、日本人の鼻の形、大きさ等から計算して、最も汎用性のある形状、大きさとしたものである。
図３は全体の斜視図であり、図４（ａ）はメガネ本体への装着状態の正面図、図４（ｂ）は同平面図及び図４（ｃ）は同側面図である。
【００２５】
本実施例のノーズパッド２は、連結部２２の下端２２ａは正面視でブリッジ１３の下端１３ａに沿って湾曲していて、中心から等距離に前記装着部１６，１６と嵌合する２個の孔２３が穿設されている。
【００２６】
前記パッド部２１は縦長の板状で、後側の上部に水平部２１ａを構成し、この水平部２１ａの後方から下方に向かい緩やかな湾曲部２１ｂを形成して、その下端に円弧部２１ｃを構成する。この円弧部２１ｃに連続して、前側には後方に湾曲した湾曲部２１ｄを構成してなる。
【００２７】
図４（ａ）に示すように、パッド部２１は、その内側縁をフレーム１２の内側縁に沿った位置で外側に向かって湾曲していて、鼻の表面にフィットする形状となっている。
【００２８】
図５、図６はノーズパッドの実施例２を示すもので、パッド部の間隔が広いタイプであり、まつ毛の長い人や女性が付けまつ毛を着用したときに使用するものである。
図５は全体の斜視図、図６（ａ）はメガネ本体への装着状態の正面図、図６（ｂ）は同平面図及び図６（ｃ）は同側面図である。
【００２９】
本実施例のノーズパッド３は、連結部３２の下端３２ａは正面視で水平であり、ブリッジ１３の下端１３ａより上方に位置している。この連結部３２には、中心から等距離に前記装着部１６，１６と嵌合する２個の孔３３が穿設されている。
【００３０】
前記パッド部３１は、縦長の板状で、パッド部３１の後側の上部から緩やかな湾曲部３１ａを形成して、その下端に円弧部３１ｂを構成している。この円弧部３１ｂに連続して、前側には後方に湾曲した湾曲部３１ｃを構成してある。
【００３１】
図６（ａ）、（ｂ）に示すように、パッド部３１は、その内側縁をフレーム１２の内側縁に接する位置に構成されていて、外側縁はフレーム１２内に大きく張り出し、外側に向かって湾曲していて、パッド部３１，３１の内側の間隔Ｄ３は、前記実施例１のパッド部２１，２１の内側の間隔Ｄ１より大きい。
また、パッド部３１の後部は、図６（ｃ）に示すように、前記標準タイプと比べて後方に張り出していてブリッジ１３からパッド部後端までの距離Ｄ４は、前記実施例１の同距離Ｄ２より大きいから、メガネ本体と顔の間隔が広くなる。
【００３２】
そのため、装着時には、パッド部３１は少し下方にずれて、メガネ本体１が前方に移動した状態で鼻の表面にフィットするため、メガネ本体１と顔との距離が大きくなり、付けまつ毛がメガネ本体１に当たるのを防ぐことができる。
【００３３】
図７、図８はノーズパッドの実施例３を示すもので、パッド部の間隔が狭く、鼻の小さな人や小柄な人が使用するものである。
図７は全体の斜視図、図８（ａ）はメガネ本体への装着状態の正面図、図８（ｂ）は同平面図及び図８（ｃ）は同側面図である。
【００３４】
本実施例のノーズパッド４は、連結部４２の下端４２ａは正面視で水平であり、ブリッジ１３の下端１３ａより上方に位置していて、中心から等距離に前記装着部１６，１６と嵌合する２個の孔４３が穿設されている。
【００３５】
前記パッド部４１は、縦長の板状で、パッド部４１の後側の上部から下方に円弧状の湾曲部４１ａを構成し、その下端に円弧部４１ｂを構成している。この円弧部４１ｂに連続して、前側には後方に湾曲した湾曲部４１ｃを構成している。
【００３６】
図８（ａ）、（ｂ）に示すように、パッド部４１は、その内側縁と外側縁をフレーム１２よりわずかに張り出して、外側に向かって湾曲していて、パッド部４１，４１の内側の間隔Ｄ５は前記実施例１のパッド部２１，２１の内側の間隔Ｄ１より小さい。
また、図８（ｃ）に示すように、パッド部４１は、前記実施例１のパッド部２１より幅が細く、ブリッジ１３からパッド部４１後端までの距離Ｄ６は、前記実施例１の同距離Ｄ２よりわずかに小さいため、装着時にはパッド部４１が鼻を強く挟むようになり、鼻が小さい人でもパッド部が鼻の表面にフィットする形状となっている。
【００３７】
このように、ノーズパッドの選択に際し、通常の体格の人は、パッド部の間隔が標準的な標準タイプ２を、まつ毛の長い人や付けまつ毛を使用する場合は広いタイプ３を、鼻の小さな人や小柄な人は狭いタイプ４を選択して使用すればよい。これによって、体格の違いや使用状態の違いなどがあっても広く使用できるのである。
【００３８】
さらに、フレーム１２，１２にレンズを装着していないメガネ本体１（図１参照）と複数のノーズパッド２、３、４とをキットで構成し、使用に際に自己に適したレンズを装着することもできる。この場合のレンズは、通常の近眼用のものを装着できる。
【００３９】
また老眼鏡は、通常０．５〜４．５までの９段階で作成されているが、それぞれのレンズを装着したメガネ本体を用意すれば、複数のノーズパッドを使用して、多数の人が使用することができる。
【符号の説明】
【００４０】
１   メガネ本体          ２  ノーズパッド 
３  ノーズパッド         ４  ノーズパッド  
１２  フレーム           １３  ブリッジ
１４  レンズ             １６  装着部
【図１】
2014095855.tif 000003
【図２】
2014095855.tif 000004
【図３】
2014095855.tif 000005
【図４】
2014095855.tif 000006
【図５】
2014095855.tif 000007
【図６】
2014095855.tif 000008
【図７】
2014095855.tif 000009
【図８】
2014095855.tif 000010